(57)【要約】【課題】船舶の衝突事故の発生及び転覆事故の発生を的確に検出して、衝突事故または転覆事故の発生時にエンジンを緊急停止する船舶用エンジン緊急停止装置を提供する。【解決手段】船体２と船外機３とを備えた船舶の事故時にエンジンを停止させるエンジン緊急停止装置である。船体２の前後方向に働く加速度Ｇxと、上下方向に働く加速度Ｇyとを検出し得る加速度検出器３１８を設け、加速度Ｇxが判定値を超えたときに衝突事故が発生したと判定し、加速度Ｇyから演算した船舶のロール角が判定値を超えたときに転覆事故が発生したと判定する。衝突事故または転覆事故が発生したとの判定が行われたときにエンジンヘンの燃料の供給を停止してエンジンを停止させる。【選択図】    図３
2008260413.tif 000002
【特許請求の範囲】
【請求項１】
船体とエンジンを駆動源とした推進装置とを備えた船舶の事故時に前記エンジンを停止させるエンジン緊急停止装置であって、
前記船体に働く加速度を検出し得るように設けられた加速度検出器と、
前記船体が何かと衝突したこと及び（または）転覆したことを判定の対象とする事故として、前記加速度検出器の出力から前記事故の発生の有無を判定する事故判定装置と、
前記事故判定装置により事故が発生したと判定されたときに前記エンジンを停止させる事故時エンジン停止手段と、
を具備してなる船舶用エンジン緊急停止装置。
【請求項２】
前記加速度検出器は、少なくとも前記船舶の前後方向に働く加速度Ｇxを検出し得るように設けられ、
前記事故判定装置は、前記船舶の加速時または減速時に前記船舶の前後方向に働く加速度Ｇxの大きさが判定値を超えたときに前記船体が何かに衝突したと判定するように構成されている請求項１に記載の船舶用エンジン緊急停止装置。
【請求項３】
前記加速度検出器は、少なくとも前記船舶の上下方向に働く加速度Ｇyを検出し得るように設けられ、
前記事故判定装置は、前記船舶の上下方向に働く加速度Ｇyのアークコサイン値cos−１Ｇyから前記船舶のロール角θrを求めて、求めたロール角θrが設定された判定値を超えたときに前記船舶が転覆したと判定するように構成されている請求項１に記載の船舶用エンジン緊急停止装置。
【請求項４】
前記加速度検出器は、少なくとも前記船舶の横方向に働く加速度Ｇzを検出し得るように設けられ、
前記事故判定装置は、前記船舶の横方向に働く加速度Ｇzのアークサイン値sin−１Ｇzから前記船舶のロール角θrを求めて、求めたロール角θrが設定された判定値を超えたときに前記船舶が転覆したと判定するように構成されている請求項１に記載の船舶用エンジン緊急停止装置。
【請求項５】
前記加速度検出器は、前記船舶の前後方向に働く加速度Ｇxと上下方向に働く加速度Ｇyとを検出し得るように設けられ、
前記事故判定装置は、前記船舶の加速時または減速時に前記船舶の前後方向に働く加速度Ｇxの大きさが判定値を超えたときに前記船体が何かに衝突したと判定し、前記船舶の上下方向に働く加速度Ｇyのアークコサイン値cos−１Ｇyから前記船舶のロール角θrを求めて、求めたロール角θrが設定された判定値を超えたときに前記船舶が転覆したと判定するように構成されている請求項１に記載の船舶用エンジン緊急停止装置。
【請求項６】
前記加速度検出器は、前記船舶の前後方向に働く加速度Ｇxと横方向に働く加速度Ｇzとを検出し得るように設けられ、
前記事故判定装置は、前記船舶の加速時または減速時に前記船舶の前後方向に働く加速度Ｇxの大きさが判定値を超えたときに前記船体が何かに衝突したと判定し、前記船舶の横方向に働く加速度Ｇzのアークサイン値sin−１Ｇzから前記船舶のロール角θrを求めて、求めたロール角θrが設定された判定値を超えたときに前記船舶が転覆したと判定するように構成されている請求項１に記載の船舶用エンジン緊急停止装置。
【請求項７】
前記加速度検出器は、前記船舶の横方向に働く加速度Ｇzと上下方向に働く加速度Ｇyとを検出し得るように設けられ、
前記事故判定装置は、前記船舶の横方向に働く加速度Ｇzと上下方向に働く加速度Ｇyとの比(Ｇz／Ｇｙ)のアークタンジェント値tan−１(Ｇz／Ｇｙ)から前記船舶のロール角を求めて、求めたロール角が設定された判定値を超えたときに前記船舶が転覆したと判定するように構成されている請求項１に記載の船舶用エンジン緊急停止装置。
【請求項８】
前記加速度検出器は、前記船舶の前後方向に働く加速度Ｇxと上下方向に働く加速度Ｇyと横方向に働く加速度Ｇzとを検出し得るように設けられ、
前記事故判定装置は、前記船舶の加速時または減速時に前記船舶の前後方向に働く加速度Ｇxの大きさが判定値を超えたときに前記船体が何かに衝突したと判定し、前記船舶の横方向に働く加速度Ｇzと上下方向に働く加速度Ｇyとの比(Ｇz／Ｇｙ)のアークタンジェント値tan−１(Ｇz／Ｇｙ)から前記船舶のロール角θrを求めて、求めたロール角θrが設定された判定値を超えたときに前記船舶が転覆したと判定するように構成されている請求項１に記載の船舶用エンジン緊急停止装置。
【請求項９】
前記推進装置は船外機であって、前記船外機内に該船外機のトリム角の制御と前記エンジンの制御と前記事故判定装置を構成するための処理とを行うを行うコントローラが設けられ、
前記加速度検出器は、前記コントローラ内に設けられている請求項１ないし８のいずれか一つに記載の船舶用エンジン緊急停止装置。
【請求項１０】
前記エンジンは、インジェクタと該インジェクタに燃料を供給する燃料ポンプとを有する燃料噴射装置により燃料が供給されるように構成され、
前記事故時エンジン停止手段は、前記事故判定装置により事故が発生したと判定されたときに前記燃料ポンプまたはインジェクタの少なくとも一方の駆動を停止することにより前記エンジンへの燃料の供給を停止して前記エンジンを停止させるように構成されている請求項１ないし９のいずれか一つに記載の船舶用エンジン緊急停止装置。
【請求項１１】
前記エンジンは、インジェクタと該インジェクタに燃料を供給する燃料ポンプとを有する燃料噴射装置により燃料が供給されるように構成され、
前記事故時エンジン停止手段は、前記事故判定装置により事故が発生したと判定されたときに前記燃料ポンプまたはインジェクタの少なくとも一方の駆動を停止することにより前記エンジンへの燃料の供給を停止する燃料供給停止手段と、前記事故判定装置により事故が発生したと判定されたときに前記エンジンの点火動作を停止させる点火動作停止手段とにより構成されている請求項１ないし９のいずれか一つに記載の船舶用エンジン緊急停止装置。
【請求項１２】
前記事故時エンジン停止手段は、前記事故判定装置により事故が発生したと判定されたときに前記エンジンの点火動作を停止させる点火動作停止手段により構成されている請求項１ないし９のいずれか一つに記載の船舶用エンジン緊急停止装置。
【請求項１３】
船体とエンジンを駆動源とした推進装置とを備えた船舶に事故が発生したか否かを判定する船舶用事故判定装置であって、
少なくとも前記船舶の前後方向に働く加速度Ｇxを検出し得るように設けられた加速度検出器と、
前記船舶の加速時または減速時に前記船舶の前後方向に働く加速度Ｇxの大きさが判定値を超えたときに前記船体が何かに衝突したと判定する事故判定手段と、
を備えた船舶用事故判定装置。
【請求項１４】
船体とエンジンを駆動源とした推進装置とを備えた船舶に事故が発生したか否かを判定する船舶用事故判定装置であって、
少なくとも前記船舶の上下方向に働く加速度Ｇyを検出し得るように設けられた加速度検出器と、
前記船舶の上下方向に働く加速度Ｇyのアークコサイン値cos−１Ｇyから前記船舶のロール角θrを求めて、求めたロール角θrが設定された判定値を超えたときに前記船舶が転覆したと判定する事故判定手段と、
を備えた船舶用事故判定装置。
【請求項１５】
船体とエンジンを駆動源とした推進装置とを備えた船舶に事故が発生したか否かを判定する船舶用事故判定装置であって、
少なくとも前記船舶の横方向に働く加速度Ｇzを検出し得るように設けられた加速度検出器と、
前記船舶の横方向に働く加速度Ｇzのアークサイン値sin−１Ｇzから前記船舶のロール角θrを求めて、求めたロール角θrが設定された判定値を超えたときに前記船舶が転覆したと判定する事故判定手段と、
を備えた船舶用事故判定装置。
【請求項１６】
船体とエンジンを駆動源とした推進装置とを備えた船舶に事故が発生したか否かを判定する船舶用事故判定装置であって、
前記船舶の前後方向に働く加速度Ｇxと上下方向に働く加速度Ｇyとを検出し得るように設けられた加速度検出器と、
前記船舶の加速時または減速時に前記船舶の前後方向に働く加速度Ｇxの大きさが判定値を超えたときに前記船体が何かに衝突したと判定し、前記船舶の上下方向に働く加速度Ｇyのアークコサイン値cos−１Ｇyから前記船舶のロール角θrを求めて、求めたロール角θrが設定された判定値を超えたときに前記船舶が転覆したと判定する事故判定手段と、
を備えた船舶用事故判定装置。
【請求項１７】
船体とエンジンを駆動源とした推進装置とを備えた船舶に事故が発生したか否かを判定する船舶用事故判定装置であって、
前記船舶の前後方向に働く加速度Ｇxと横方向に働く加速度Ｇzとを検出し得るように設けられた加速度検出器と、
前記船舶の加速時または減速時に前記船舶の前後方向に働く加速度Ｇxの大きさが判定値を超えたときに前記船体が何かに衝突したと判定し、前記船舶の横方向に働く加速度Ｇzのアークサイン値sin−１Ｇzから前記船舶のロール角θrを求めて、求めたロール角θrが設定された判定値を超えたときに前記船舶が転覆したと判定する事故判定手段と、
を備えた船舶用事故判定装置。
【請求項１８】
船体とエンジンを駆動源とした推進装置とを備えた船舶に事故が発生したか否かを判定する船舶用事故判定装置であって、
前記船舶の横方向に働く加速度Ｇzと上下方向に働く加速度Ｇyとを検出し得るように設けられた加速度検出器と、
前記船舶の横方向に働く加速度Ｇzと上下方向に働く加速度Ｇyとの比(Ｇz／Ｇｙ)のアークタンジェント値tan−１(Ｇz／Ｇｙ)から前記船舶のロール角を求めて、求めたロール角が設定された判定値を超えたときに前記船舶が転覆したと判定する事故判定手段と、
を備えた船舶用事故判定装置。
【請求項１９】
船体とエンジンを駆動源とした推進装置とを備えた船舶に事故が発生したか否かを判定する船舶用事故判定装置であって、
前記船舶の前後方向に働く加速度Ｇxと上下方向に働く加速度Ｇyと横方向に働く加速度Ｇzとを検出し得るように設けられた加速度検出器と、
前記船舶の加速時または減速時に前記船舶の前後方向に働く加速度Ｇxの大きさが判定値を超えたときに前記船体が何かに衝突したと判定し、前記船舶の横方向に働く加速度Ｇzと上下方向に働く加速度Ｇyとの比(Ｇz／Ｇｙ)のアークタンジェント値tan−１(Ｇz／Ｇｙ)から前記船舶のロール角θrを求めて、求めたロール角θrが設定された判定値を超えたときに前記船舶が転覆したと判定する事故判定手段と、
を備えた船舶用事故判定装置。
【発明の詳細な説明】
【技術分野】
【０００１】
本発明は、船体とエンジンを駆動源とした推進装置とを備えた船舶の事故時に乗員の安全を図るためにエンジンを停止させるエンジン緊急停止装置、及び船舶に事故が発生したことの情報をエンジン緊急停止装置に与えるために用いる船舶用事故判定装置に関するものである。
【背景技術】
【０００２】
船外機を推進装置として用いた船舶等の安全装置として、特許文献１や特許文献２に示されているように、操船者が落水したときにエンジンを停止させるようにしたエンジン緊急停止装置がある。この種の装置は、エンジン緊急停止スイッチと、エンジン緊急停止スイッチの操作部に引き外し可能な状態で取り付けられてスイッチを不動作状態に保持するスイッチ操作部材と、スイッチ操作部材を操船者の身体の一部に接続するロープ等を備えていて、操船者が落水したときにスイッチ操作部材を緊急停止スイッチから引き外すことにより、エンジンを停止させるようにしている。
【特許文献１】実公平５−４８３４４号公報
【特許文献２】特開平２−２２１６３７号公報
【発明の開示】
【発明が解決しようとする課題】
【０００３】
上記のように、従来の船舶用エンジン緊急停止装置は、操船者が落水したときにエンジンを停止させる手段を備えていたが、船体が何かに衝突したり、転覆したりしたときにエンジンを停止させる手段は持たなかった。
【０００４】
そのため、従来の船舶では、船体が何かに衝突したり、転覆したりする事故が生じたときに、操船者が怪我をするなどして操船を行うことができない状態になったままで船内にとどまっていると、エンジンを停止させることができなかった。そのため、衝突時または転覆時に操船者以外の乗員が水上に放り出されると、回転しているプロペラに触れて怪我をしたり死亡したりするおそれがあり、危険であった。
【０００５】
また従来の船舶では、衝突した後も推進力が働くため、船体が思わぬ方向に暴走するおそれがあり、二次的な事故を招くおそれがあった。
【０００６】
更に、従来の船舶では、衝突事故や転覆事故の発生時にエンジンを停止させる手段を備えておらず、事故発生後もエンジンに燃料が供給され続けるため、エンジンで火災が発生するおそれがあった。
【０００７】
船舶の衝突事故や転覆事故が起こったときにエンジンを停止させる等の保安措置を講じるためには、衝突事故や転覆事故の発生を確実に検出して、事故が生じたことの情報を保安装置に与えることができるようにしておくことが必要であるが、船舶の衝突事故や転覆事故を確実に検出する手段は未だ開発されていない。
【０００８】
本発明の目的は、船舶が衝突事故や転覆事故を起こしたことを確実に検出して、衝突事故や転覆事故が生じたときに直ちにエンジンを停止させることができるようにして安全性を高めた船舶用エンジン緊急停止装置を提供することにある。
【０００９】
本発明の他の目的は、船舶が衝突事故や転覆事故を起こしたことを確実に検出して、船舶の衝突事故や転覆事故が起こったことの情報をエンジン緊急停止装置などの保安装置に確実に与えることができる船舶用事故判定装置を提供することにある。
【課題を解決するための手段】
【００１０】
本発明は、船体と、エンジンを駆動源とした推進装置とを備えた船舶の事故時にエンジンを停止させるエンジン緊急停止装置に係わるものである。
【００１１】
本発明においては、船体に働く加速度を検出し得るように設けられた加速度検出器と、船体が何かと衝突したこと及び（または）転覆したことを判定の対象とする事故として、加速度検出器の出力から事故の発生の有無を判定する事故判定装置と、事故判定装置により事故が発生したと判定されたときにエンジンを停止させる事故時エンジン停止手段とが設けられる。
【００１２】
船舶の衝突事故や転覆事故が発生したときには、船体に働く加速度が正常時とは異なる変化を示すため、上記のように、船体に働く加速度を検出する加速度検出器を設けておくと、その出力に基づいて衝突事故や転覆事故の発生の有無を判定することができ、事故が発生したと判定されたときにエンジンの点火動作を停止したり、エンジンへの燃料の供給を停止させることにより、エンジンを停止させることができる。
【００１３】
このように、本発明よれば、衝突事故や転覆事故が発生したときにエンジンを停止させるようにしたので、衝突時または転覆時に操船者以外の乗員が水上に放り出された場合に、回転しているプロペラに触れて怪我をしたり死亡したりするおそれをなくすことができる。
【００１４】
また衝突事故が発生したときにエンジンが停止するため、事故により操船者が怪我をするなどして操船を行うことができなくなったときに、船体が思わぬ方向に暴走するおそれをなくすことができる。
【００１５】
本発明の好ましい態様では、上記加速度検出器が、少なくとも船舶の前後方向に働く加速度Ｇxを検出し得るように設けられる。この場合事故判定装置は、船舶の加速時または減速時に船舶の前後方向に働く加速度Ｇxの大きさが判定値を超えたときに船体が何かに衝突したと判定するように構成される。
【００１６】
本発明の他の好ましい態様では、上記加速度検出器が、少なくとも船舶の上下方向に働く加速度Ｇyを検出し得るように設けられる。この場合事故判定装置は、船舶の上下方向に働く加速度Ｇyのアークコサイン値cos−１Ｇyから船舶のロール角θrを求めて、求めたロール角θrが設定された判定値を超えたときに船舶が転覆したと判定するように構成される。
【００１７】
本発明の更に他の好ましい態様では、上記加速度検出器が、少なくとも船舶の横方向に働く加速度Ｇzを検出し得るように設けられる。この場合事故判定装置は、船舶の横方向に働く加速度Ｇzのアークサイン値sin−１Ｇzから船舶のロール角θrを求めて、求めたロール角θrが設定された判定値を超えたときに船舶が転覆したと判定するように構成される。
【００１８】
本発明の更に他の好ましい態様では、上記加速度検出器が、船舶の前後方向に働く加速度Ｇxと上下方向に働く加速度Ｇyとを検出し得るように設けられる。この場合事故判定装置は、船舶の加速時または減速時に船舶の前後方向に働く加速度Ｇxの大きさが判定値を超えたときに船体が何かに衝突したと判定し、船舶の上下方向に働く加速度Ｇyのアークコサイン値cos−１Ｇyから船舶のロール角θrを求めて、求めたロール角θrが設定された判定値を超えたときに船舶が転覆したと判定するように構成される。
【００１９】
本発明の更に他の好ましい態様では、上記加速度検出器が、船舶の前後方向に働く加速度Ｇxと横方向に働く加速度Ｇzとを検出し得るように設けられる。この場合事故判定装置は、船舶の加速時または減速時に船舶の前後方向に働く加速度Ｇxの大きさが判定値を超えたときに船体が何かに衝突したと判定し、船舶の横方向に働く加速度Ｇzのアークサイン値sin−１Ｇzから船舶のロール角θrを求めて、求めたロール角θrが設定された判定値を超えたときに船舶が転覆したと判定するように構成される。
【００２０】
本発明の更に他の好ましい態様では、上記加速度検出器が、船舶の横方向に働く加速度Ｇzと上下方向に働く加速度Ｇyとを検出し得るように設けられる。この場合事故判定装置は、船舶の横方向に働く加速度Ｇzと上下方向に働く加速度Ｇyとの比(Ｇz／Ｇｙ)のアークタンジェント値tan−１(Ｇz／Ｇｙ)から船舶のロール角を求めて、求めたロール角が設定された判定値を超えたときに船舶が転覆したと判定するように構成される。
【００２１】
本発明の更に他の好ましい態様では、上記加速度検出器が、船舶の前後方向に働く加速度Ｇxと上下方向に働く加速度Ｇyと横方向に働く加速度Ｇzとを検出し得るように設けられる。この場合事故判定装置は、船舶の加速時または減速時に前記船舶の前後方向に働く加速度Ｇxの大きさが判定値を超えたときに船体が何かに衝突したと判定し、船舶の横方向に働く加速度Ｇzと上下方向に働く加速度Ｇyとの比(Ｇz／Ｇｙ)のアークタンジェント値tan−１(Ｇz／Ｇｙ)から船舶のロール角θrを求めて、求めたロール角θrが設定された判定値を超えたときに船舶が転覆したと判定するように構成される。
【００２２】
上記推進装置が船外機であって、船外機内に該船外機のトリム角の制御とエンジンの制御と上記事故判定装置を構成するための処理とを行うコントローラが設けられている場合には、上記加速度検出器をコントローラ内に設けるのが好ましい。
【００２３】
このように構成すると、船外機を船体に取付ける際に船体に加速度検出器を取付ける必要がなく、また加速度検出器とコントローラとを接続するためのワイヤハーネスを長く引き回す必要がないため、船外機の取付作業を容易にすることができる。また船外機内に加速度検出器を取付けると、該加速度検出器が少なくとも上下方向に働く加速度Ｇyを検出し得るようにしておくことにより、該加速度検出器の出力から船外機の鉛直方向に対する傾斜角を検出することができるため、船外機のトリム角の制御に船外機の鉛直方向に対する傾斜角の情報を用いる場合に、その情報を得るための検出器として上記加速度検出器を利用することができる。
【００２４】
船外機のエンジンが、インジェクタと該インジェクタに燃料を供給する燃料ポンプとを有する燃料噴射装置により燃料が供給されるように構成されている場合には、事故時エンジン停止手段を、事故判定装置により事故が発生したと判定されたときに燃料ポンプまたはインジェクタの少なくとも一方の駆動を停止することによりエンジンへの燃料の供給を停止してエンジンを停止させるように構成することができる。
【００２５】
上記のように、事故判定装置により事故が発生したと判定されたときにエンジンへの燃料の供給を停止することによりエンジンを停止させるように構成しておくと、衝突事故や転覆事故の発生時にエンジンへの燃料の供給が停止するため、エンジンで火災が発生するおそれをなくすことができる。
【００２６】
上記のように、エンジンが、インジェクタと該インジェクタに燃料を供給する燃料ポンプとを有する燃料噴射装置により燃料が供給されるように構成されている場合、事故時エンジン停止手段は、事故判定装置により事故が発生したと判定されたときに燃料ポンプまたはインジェクタの少なくとも一方の駆動を停止することによりエンジンへの燃料の供給を停止する燃料供給停止手段と、事故判定装置により事故が発生したと判定されたときにエンジンの点火動作を停止させる点火動作停止手段とにより構成することもできる。
【００２７】
事故時に火災が発生するのを防ぐためには、上記のように、事故時にエンジンへの燃料の供給を停止させるのが好ましいが、事故時エンジン停止手段の構成は上記のものに限定されるものではなく、事故判定装置により事故が発生したと判定されたときにエンジンの点火動作を停止させる点火動作停止手段のみにより事故時エンジン停止手段を構成してもよい。
【００２８】
本発明によればまた、船体とエンジンを駆動源とした推進装置とを備えた船舶に事故が発生したか否かを判定する船舶用事故判定装置が提供される。本発明に係わる事故判定装置においては、少なくとも船舶の前後方向に働く加速度Ｇxを検出し得るように設けられた加速度検出器と、船舶の加速時または減速時に船舶の前後方向に働く加速度Ｇxの大きさが判定値を超えたときに船体が何かに衝突したと判定する事故判定手段とが設けられる。
【００２９】
本発明の好ましい態様では、船舶用事故判定装置が、少なくとも船舶の上下方向に働く加速度Ｇyを検出し得るように設けられた加速度検出器と、船舶の上下方向に働く加速度Ｇyのアークコサイン値cos−１Ｇyから船舶のロール角θrを求めて、求めたロール角θrが設定された判定値を超えたときに船舶が転覆したと判定する事故判定手段とにより構成される。
【００３０】
本発明の他の好ましい態様では、船舶用事故判定装置が、少なくとも船舶の横方向に働く加速度Ｇzを検出し得るように設けられた加速度検出器と、船舶の横方向に働く加速度Ｇzのアークサイン値sin−１Ｇzから船舶のロール角θrを求めて、求めたロール角θrが設定された判定値を超えたときに船舶が転覆したと判定する事故判定手段とにより構成される。
【００３１】
本発明の更に他の好ましい態様では、船舶用事故判定装置が、船舶の前後方向に働く加速度Ｇxと上下方向に働く加速度Ｇyとを検出し得るように設けられた加速度検出器と、船舶の加速時または減速時に前記船舶の前後方向に働く加速度Ｇxの大きさが判定値を超えたときに前記船体が何かに衝突したと判定し、船舶の上下方向に働く加速度Ｇyのアークコサイン値cos−１Ｇyから前記船舶のロール角θrを求めて、求めたロール角θrが設定された判定値を超えたときに前記船舶が転覆したと判定する事故判定手段とにより構成される。
【００３２】
本発明の更に他の好ましい態様では、船舶用事故判定装置が、船舶の前後方向に働く加速度Ｇxと横方向に働く加速度Ｇzとを検出し得るように設けられた加速度検出器と、船舶の加速時または減速時に船舶の前後方向に働く加速度Ｇxの大きさが判定値を超えたときに船体が何かに衝突したと判定し、船舶の横方向に働く加速度Ｇzのアークサイン値sin−１Ｇzから船舶のロール角θrを求めて、求めたロール角θrが設定された判定値を超えたときに船舶が転覆したと判定する事故判定手段とにより構成される。
【００３３】
本発明の更に他の好ましい態様では、船舶用事故判定装置が、船舶の横方向に働く加速度Ｇzと上下方向に働く加速度Ｇyとを検出し得るように設けられた加速度検出器と、船舶の横方向に働く加速度Ｇzと上下方向に働く加速度Ｇyとの比(Ｇz／Ｇｙ)のアークタンジェント値tan−１(Ｇz／Ｇｙ)から船舶のロール角を求めて、求めたロール角が設定された判定値を超えたときに船舶が転覆したと判定する事故判定手段とにより構成される。
【００３４】
本発明の更に他の好ましい態様では、船舶用事故判定装置が、船舶の前後方向に働く加速度Ｇxと上下方向に働く加速度Ｇyと横方向に働く加速度Ｇzとを検出し得るように設けられた加速度検出器と、加速度検出器の出力を入力として、船舶の加速時または減速時に船舶の前後方向に働く加速度Ｇxの大きさが判定値を超えたときに船体が何かに衝突したと判定し、船舶の横方向に働く加速度Ｇzと上下方向に働く加速度Ｇyとの比(Ｇz／Ｇｙ)のアークタンジェント値tan−１(Ｇz／Ｇｙ)から船舶のロール角θrを求めて、求めたロール角θrが設定された判定値を超えたときに船舶が転覆したと判定する事故判定手段とにより構成される。
【発明の効果】
【００３５】
以上のように、本発明によれば、船体に働く加速度を検出する加速度検出器を設けて、その出力に基づいて衝突事故や転覆事故の発生の有無を判定し、事故が発生したと判定されたときにエンジンへの燃料の供給を停止してエンジンを停止させるようにしたので、衝突時または転覆時に操船者以外の乗員が水上に放り出された場合に、回転しているプロペラに触れて怪我をしたり死亡したりするおそれをなくすことができる。
【００３６】
また本発明によれば、衝突事故が発生したときにエンジンを停止させることができるため、事故により操船者が怪我をするなどして操船を行うことができなくなったときに、船体が思わぬ方向に暴走するおそれをなくすことができる。
【００３７】
本発明によればまた、衝突事故や転覆事故の発生時にエンジンへの燃料の供給を停止するようにしたため、エンジンで火災が発生するおそれをなくすことができる。
【００３８】
また本発明に係わる船舶用事故判定装置によれば、船舶が何かに衝突したり、転覆したりしたときにそれを的確に検出することができるため、事故発生の情報をエンジン緊急停止装置に与えて、エンジン緊急停止装置の動作を確実に行わせることができる。
【発明を実施するための最良の形態】
【００３９】
以下図面を参照して、本発明の好ましい実施形態を詳細に説明する。
本発明は、船体とエンジンを駆動源とした推進装置とを備えた船舶に広く適用することができるが、本実施形態では、図１に示すように、推進装置として船外機を用いる船舶１に本発明を適用するものとする。図１において２は操舵用のステアリングホイール２ａ、スロットルレバー２ｂ、運転席２ｃなどを有する船体、３は船外機である。
【００４０】
船外機３は、エンジン３０１と該エンジンにより駆動されるプロペラ３０２とを備えた船外機本体３０３と、船外機本体の前部の左右に設けられたブラケット３０４とを備えていて、ブラケット３０４を介して船体２のトランザム（船尾）２ｄに取付けられている。左右のブラケット３０４の間には、モータや流体圧シリンダを駆動源として、ブラケット３０４に設けられた回動軸３０５の回りに船外機本体３０３を回動させるパワートリム装置が設けられている。
【００４１】
図２は、船外機のエンジンの制御を行う制御装置と、パワートリム装置の制御装置と、本発明に係わるエンジン緊急停止装置とを構成する制御部のハードウェアの構成例を示したものである。同図において、３は船外機、４は船体２の運転席２ｃの近傍に取り付けられたリモートコントロールユニット（リモコンユニット）を示している。
【００４２】
図２において３１０は船外機に設けられたパワートリム装置（ＰＴＴユニット）、３１１はパワートリムコントローラ（ＰＴＴコントローラ）、３１２はエンジンコントローラである。パワートリム装置３１０は、パワートリムモータ（ＰＴＴモータ）３１５と、ＰＴＴモータを動力源として船外機本体３０３の船体２に対する傾斜角を調節するトリム機構と、船外機本体３０３の船体２に対する傾斜角を検出するトリム角センサ３１６とを備えている。
【００４３】
ＰＴＴコントローラ３１１は、ＣＰＵを有するマイクロプロセッサ３１７と、加速度検出器３１８と、ＰＴＴモータ３１５に駆動電流を供給するモータドライブ回路３１９とを備えている。
【００４４】
図２には図示してないが、エンジンコントローラ３１２にもマイクロプロセッサが設けられている。エンジンコントローラ３１２は、そのマイクロプロセッサに所定のプログラムを実行させることにより、エンジンの点火時期の制御と、エンジンヘの燃料の供給の制御とを行う。
【００４５】
リモコンユニット４には、動作モードを自動制御モードとするか、マニュアルモードとするかを選択するために運転者により操作されるモード選択スイッチ４０１と、マニュアルモードが選択されているときに船外機をトリムアップ方向及びトリムダウン方向にそれぞれ動かすために運転者により操作されるＰＴＴスイッチ４０２と、現在のトリム角と動作モードとを表示する表示器４０３とが設けられている。
【００４６】
本実施形態では、ＰＴＴコントローラ３０２に設けられたマイクロプロセッサを利用して、本発明に係わるエンジン緊急停止装置を構成するために必要な処理を行う。図３は、本実施形態のエンジン緊急停止装置に係わる部分の構成を示したブロック図で、同図において２は船体、３は船外機本体３０３と、パワートリム装置３１０とを備えた船外機である。
【００４７】
本実施形態では、船外機本体のエンジンに燃料を供給する装置として、燃料噴射装置３２０が用いられている。燃料噴射装置３２０は、エンジンの吸気管内などの燃料噴射空間に燃料を噴射するように取付けられたインジェクタと、該インジェクタに燃料を供給する燃料ポンプと、インジェクタから所定量の燃料を噴射させるようにインジェクタが燃料を噴射する時間を制御するインジェクタ制御部とを備えた周知のものである。
【００４８】
本発明に係わるエンジン緊急停止装置は、加速度検出器３１８と、加速度検出器３１８の出力から事故の判定に必要なパラメータを求める演算処理部２１と、演算処理部２１により求められたパラメータを用いて事故の発生の有無を判定する事故判定手段２４と、事故判定手段２４により事故が発生したとの判定が行なわれたときにエンジンを停止させる事故時エンジン停止手段２５とにより構成される。
【００４９】
事故判定手段２４は、船体２が何かと衝突したこと及び（または）転覆したことを判定の対象とする事故として、加速度検出器３１８の出力から事故の発生の有無を判定する。本実施形態では、加速度検出器３１８が、船体２の前後方向に働く加速度Ｇxと上下方向に働く加速度Ｇyとを検出し得るように設けられた２軸加速度センサからなり、事故判定手段２４は、船舶の加速時または減速時に船舶の前後方向に働く加速度Ｇxの大きさが判定値を超えたときに船体２が何かに衝突したと判定し、船舶の上下方向に働く加速度Ｇyのアークコサイン値から船舶のロール角θrを求めて、求めたロール角θrが設定された判定値を超えたときに船舶が転覆したと判定するように構成されている。
【００５０】
本明細書においては、船外機３のプロペラ３０２の中心軸線を含む平面のうち、船体２が静止水面に浮いて静止しているときに鉛直方向に沿う状態になる一つの平面を基準平面とし、基準平面上で船体２の喫水線に沿う方向を船舶の長手方向とする。基準平面は、図１の紙面と平行な面であり、船舶の長手方向は、図１の直線Ｌに沿う方向である。そして、船外機が設定された最小トリム位置にあるとき（トリム角が零のとき）に基準平面上で船舶の長手方向に対して一定の取付角度θIをなして船外機３に沿う一つの直線Ｏ−Ｏを船外機の基準軸線とし，基準平面上で船外機の基準軸線Ｏ−Ｏが鉛直方向に対してなす角を船外機の傾斜角θoとし、船外機の基準軸線が基準平面上で船舶の長手方向に対してなす角度から取付角度θIを減じた角度を船外機のトリム角θtとする。また船外機の基準軸線Ｏ−Ｏを含み、前記基準平面と直交する平面上での船体の傾き角を船舶のロール角θrとする。
【００５１】
本実施形態では、加速度センサ３１８を船外機に設けられたＰＴＴコントローラ３１１内に設けるため、便宜上、図４に示すように基準軸線Ｏ−Ｏに沿う方向を船舶の上下方向（Ｙ軸方向）とし、基準平面上で基準軸線に対して直角な方向を船舶の前後方向（Ｘ軸方向）とする。このように船舶の前後方向及び上下方向を定義すると、船舶の前後方向及び上下方向が船外機のトリム角によって変わることになるが、事故を検出する上では、支障を来さない。
【００５２】
本実施形態で用いる加速度検出器３１８は、図４に示すように、船外機３の基準軸線Ｏ−Ｏに沿う方向（Ｙ軸方向）に働く加速度及び基準平面上で基準軸線Ｏ−Ｏに対して直角な方向（Ｘ軸方向）に働く加速度をそれぞれ船舶の上下方向に働く加速度Ｇy及び前後方向に働く加速度Ｇxとして検出する。
【００５３】
この場合演算処理部２１は、加速度検出器３１８の出力から前後方向に働く加速度Ｇxを読み込む前後方向加速度読み込み手段２２と、船舶のロール角θrを演算するロール角演算手段２３とにより構成される。
【００５４】
加速度検出器３１８が検出する前後方向加速度Ｇxは、通常の航行時に船舶が加速したきに図５の曲線ａのような変化を示し、減速したときに図５の曲線ｂのような変化を示す。図５の横軸は経過時間ｔを示している。
【００５５】
ここで、船舶に後方から別の船が衝突（追突）したとすると、前後方向加速度Ｇxは図５の曲線ｃのように、通常の航行時に船舶が加速した際の加速度よりも大きな変化を示す。また船舶が何かに衝突したときには、図５の曲線ｄのように、前後方向加速度−Ｇxが通常の航行時に船舶が減速した際の加速度よりも大きな変化を示す。従って、適当な衝突判定値Ｇdを設定しておけば、加速時の前後方向加速度Ｇxの大きさが衝突判定値Ｇdを超えたときに船舶に何かが追突したと判定することができ、減速時の前後方向加速度−Ｇxの大きさが衝突判定値Ｇdを超えたときに船舶が何かに衝突したと判定することができる。
【００５６】
船舶の上下方向に働く加速度Ｇyを検出することができると、重力の加速度Ｇg（＝１）と、上下方向の加速度Ｇyとから、船舶のロール角θrを、演算式θo＝cos−１（Ｇy／Ｇg）＝cos−１Ｇy により演算することができる。図３に示したロール角演算手段２３は、加速度検出器３１８により検出された加速度Ｇyのアークコサイン値を求めることにより、船舶のロール角を演算して、その演算値を事故判定手段２４に与える。
【００５７】
この場合事故判定手段２４は、船舶の減速時に前後方向に働く加速度−Ｇxの大きさが衝突判定値Ｇdを超えたときに船舶がその前面で何かに衝突したと判定し、船舶の加速時に前後方向に働く加速度Ｇxの大きさが判定値Ｇdを超えたときに船舶に後ろから何かが衝突したと判定する。また、船舶のロール角θrが設定された判定値θrsを超えたときに船舶が転覆したと判定する。
【００５８】
事故判定手段２４により、衝突事故または転覆事故が発生したとの判定が行われると、事故時エンジン停止手段２５がエンジンを停止させる。本実施形態のように、エンジンが、インジェクタと該インジェクタに燃料を供給する燃料ポンプとを有する燃料噴射装置３２０により燃料が供給されるように構成されている場合には、事故時エンジン停止手段２５を、事故判定手段２４により事故が発生したと判定されたときに燃料ポンプまたはインジェクタの少なくとも一方の駆動を停止することによりエンジンへの燃料の供給を停止してエンジンを停止させるように構成することができる。
【００５９】
また、エンジンが、燃料噴射装置３２０により燃料が供給されるように構成されている場合には、事故時エンジン停止手段２５を、事故判定手段２４により事故が発生したと判定されたときに燃料ポンプまたはインジェクタの少なくとも一方の駆動を停止することによりエンジンへの燃料の供給を停止する燃料供給停止手段と、事故判定手段２４により事故が発生したと判定されたときにエンジンの点火動作を停止させる点火動作停止手段とにより構成することもできる。
【００６０】
また事故時エンジン停止手段２５は、事故判定手段２４により事故が発生したと判定されたときにエンジンの点火動作を停止させる点火動作停止手段のみにより構成することもできる。
【００６１】
この例では、加速度検出器３１８と、演算処理部２１と、事故判定手段２４とにより、船舶用事故判定装置が構成され、この事故判定装置と事故時エンジン停止手段２５とにより、エンジン緊急停止装置が構成されている。
【００６２】
なお加速度検出器が検出する上下方向の加速度Ｇyは、船舶のロール角の変化だけでなく、ピッチ角の変化にも反応して変化する。従って、上記ロール角（実際にはピッチ角の場合もある）θoと比較する転覆判定値θrsは、定常航行時の船舶のロール角及びピッチ角の限界値よりも十分大きい値（船舶が転覆する場合以外はあり得ない値、例えば９０°以上の値）に設定しておく。
【００６３】
上記の説明では、船舶に後ろから何かが衝突した事故と、船舶が前面側で何かに衝突した事故とを区別して判定するようにしているが、衝突を判定対象事故とする場合、事故判定手段は、船舶と何かとが衝突したことを事故として判定するように構成すればよく、加速度Ｇxの絶対値を衝突判定値Ｇdと比較することにより、衝突事故と追突事故とを区別することなく事故として判定するように構成することもできる。
【００６４】
図６ないし図７は本発明の第２の実施形態を示したものである。この実施形態では、図６及び図７に示したように、加速度検出器３１８として、前後方向に働く加速度Ｇxと、上下方向（船外機の基準軸線Ｏ−Ｏに沿う方向）に働く加速度Ｇyと、横方向（前後方向及び上下方向に対して直角な方向）に働く加速度Ｇzとの３軸方向の加速度を検出することができる３軸加速度センサが用いられている。
【００６５】
本実施形態において、船舶を停止させた状態で、船舶のロール運動のみを行わせた場合に検出されるｘ，ｙ，ｚの３軸方向の加速度Ｇx，Ｇy及びＧzは図９に示すようになる。即ち船舶が前後方向には停止しているので前後方向に働く加速度Ｇxは常にゼロであり、上下方向に働く加速度Ｇyの変化を示す波形及び横方向に働く加速度Ｇzの変化を示す波形はそれぞれｃｏｓ波形及びｓｉｎ波形になる。
【００６６】
このような加速度検出器を用いた場合には、前後方向に働く加速度Ｇxの検出値を衝突判定値Ｇdと比較することにより、船舶と何かとの衝突事故が発生したか否かの判定を行うことができる。また横方向に働く加速度Ｇzの検出値と上下方向に働く加速度Ｇyの検出値との比（Ｇz／Ｇy）のアークコタンジェント値tan−１（Ｇz／Ｇy）を求めることにより船舶のロール角θr（図８参照）を演算して、演算されたロール角θrが判定値θrsを超えたときに転覆事故が発生したと判定することができる。
【００６７】
また、上記のように、加速度検出器３１８として、３軸加速度センサを用いる場合、ロール角θrは、上下方向に働く加速度Ｇyのアークコサイン値cos−１Ｇyまたは、横方向に働く加速度Ｇzのアークサイン値sin−１ Ｇz により求めることもできる。
【００６８】
上記のように、上下方向に働く加速度Ｇy及び横方向に働く加速度Ｇzを検出することができる場合には、上下方向に働く加速度Ｇyのアークコサイン値cos−１Ｇyまたは、横方向に働く加速度Ｇzのアークサイン値sin−１Ｇz により船舶のロール角θrを求めることができるが、船舶の転覆事故の発生の有無を正確に判定するためには、船体のロール角θrが転覆寸前の角度付近（９０°付近の角度）にあるときに、船体のロール角の変化に対する演算値の変化割合が大きいことが望ましい。そのため、上記の場合、ロール角θrは上下方向に働く加速度Ｇyのアークコサイン値cos−１Ｇyから求めるようにするのが好ましい。
【００６９】
上記の実施形態では、２軸加速度センサまた３軸加速度センサを加速度検出器３１８として用いるようにしているが、衝突事故のみを検出したときにエンジンへの燃料の供給を停止する場合には、前後方向に働く加速度Ｇxのみを検出するように加速度検出器３１８を設けるすればよい。
【００７０】
また船舶の転覆のみを検出して、転覆事故の発生時にエンジンへの燃料の供給を停止する場合には、上下方向に働く加速度Ｇy及び横方向に働く加速度Ｇzの少なくとも一方を検出して、θr＝cos−１Ｇy またはθr＝sin−１Ｇz により、ロール角θrを演算し、その演算値を転覆判定値と比較するようにすればよい。
【００７１】
なお衝突事故と転覆事故との双方を検出する場合、２軸加速度センサを用いる代わりに、２つの１軸加速度センサを組み合わせて用いたり、３軸加速度センサを用いる代わりに２軸の加速度センサと一つの１軸加速度センサとを組み合わせて用いたりすることができる。
【００７２】
加速度検出器３１８は、上記の実施形態のようにＰＴＴコントローラ３１１内に設けることが好ましいが、本発明はこれに限定されるものではなく、船体２側に（例えばリモートコントロールユニット４内に）加速度検出器を取付けるようにしてもよい。
【００７３】
船舶のロール角を与える関数は三角関数となるが、ロール角を演算するに当たっては、演算を迅速に行わせるために、加速度とロール角との関係を与えるロール角演算用マップを作成しておいて、求められた加速度に対してこのマップを検索し、補間演算を行うことにより、ロール角を演算するようにするのが好ましい。
【００７４】
上記に各実施形態では、船外機を推進装置とする船舶を例にとったが、船外機以外の推進装置を用いる船舶にも本発明を適用することができる。
【００７５】
ここで、本発明に係わる船舶用船舶用エンジン緊急停止装置の種々の実施形態の構成を整理して下記に挙げておく。
（１）加速度検出器３１８は、少なくとも船舶１の前後方向に働く加速度Ｇxを検出し得るように設ける。事故判定装置は、船舶の加速時または減速時に船舶の前後方向に働く加速度Ｇxの大きさが判定値を超えたときに船体が何かに衝突したと判定するように構成される。事故判定装置により事故が発生したと判定されたときにエンジンへの燃料の供給を停止する事故時燃料供給停止手段２５を設ける。
（２）加速度検出器３１８は、少なくとも船舶１の上下方向に働く加速度Ｇyを検出し得るように設ける。事故判定装置は、船舶の上下方向に働く加速度Ｇyのアークコサイン値cos−１Ｇyから船舶のロール角θrを求めて、求めたロール角θrが設定された判定値を超えたときに船舶が転覆したと判定するように構成される。事故判定装置により転覆事故が発生したと判定されたときにエンジンへの燃料の供給を停止する事故時燃料供給停止手段２５を設ける。
（３）加速度検出器３１８は、少なくとも船舶１の横方向に働く加速度Ｇzを検出し得るように設ける。事故判定装置は、船舶の横方向に働く加速度Ｇzのアークサイン値sin−１Ｇzから船舶のロール角θrを求めて、求めたロール角θrが設定された判定値を超えたときに船舶が転覆したと判定するように構成される。事故判定装置により転覆事故が発生したと判定されたときにエンジンへの燃料の供給を停止する事故時燃料供給停止手段２５を設ける。
（４）加速度検出器３１８は、船舶１の前後方向に働く加速度Ｇxと上下方向に働く加速度Ｇyとを検出し得るように設ける。事故判定装置は、船舶の加速時または減速時に船舶の前後方向に働く加速度Ｇxの大きさが判定値を超えたときに船体が何かに衝突したと判定し、船舶の上下方向に働く加速度Ｇyのアークコサイン値cos−１Ｇyから船舶のロール角θrを求めて、求めたロール角θrが設定された判定値を超えたときに船舶が転覆したと判定するように構成される。事故判定装置により事故が発生したと判定されたときにエンジンへの燃料の供給を停止する事故時燃料供給停止手段２５を設ける。
（５）加速度検出器３１８は、船舶１の前後方向に働く加速度Ｇxと横方向に働く加速度Ｇzとを検出し得るように設ける。事故判定装置は、船舶の加速時または減速時に船舶の前後方向に働く加速度Ｇxの大きさが判定値を超えたときに船体が何かに衝突したと判定し、船舶の横方向に働く加速度Ｇzのアークサイン値sin−１Ｇzから船舶のロール角θrを求めて、求めたロール角θrが設定された判定値を超えたときに船舶が転覆したと判定するように構成される。事故判定装置により事故が発生したと判定されたときにエンジンへの燃料の供給を停止する事故時燃料供給停止手段２５を設ける。
（６）加速度検出器３１８は、船舶１の横方向に働く加速度Ｇzと上下方向に働く加速度Ｇyとを検出し得るように設ける。事故判定装置は、船舶の横方向に働く加速度Ｇzと上下方向に働く加速度Ｇyとの比(Ｇz／Ｇｙ)のアークタンジェント値tan−１(Ｇz／Ｇｙ)から船舶のロール角を求めて、求めたロール角が設定された判定値を超えたときに船舶が転覆したと判定するように構成される。事故判定装置により事故が発生したと判定されたときにエンジンへの燃料の供給を停止する事故時燃料供給停止手段２５を設ける。
（７）加速度検出器３１８は、船舶１の前後方向に働く加速度Ｇxと上下方向に働く加速度Ｇyと横方向に働く加速度Ｇzとを検出し得るように設ける。事故判定装置は、船舶の加速時または減速時に船舶の前後方向に働く加速度Ｇxの大きさが判定値を超えたときに船体が何かに衝突したと判定し、船舶の横方向に働く加速度Ｇzと上下方向に働く加速度Ｇyとの比(Ｇz／Ｇｙ)のアークタンジェント値tan−１(Ｇz／Ｇｙ)から船舶のロール角θrを求めて、求めたロール角θrが設定された判定値を超えたときに船舶が転覆したと判定するように構成される。事故判定装置により事故が発生したと判定されたときにエンジンへの燃料の供給を停止する事故時燃料供給停止手段２５を設ける。
（８）上記（１）ないし（７）の各構成において、船舶の推進装置は船外機であって、船外機内に該船外機のトリム角の制御とエンジンの制御と前記事故判定装置を構成するための処理とを行うコントローラが設けられている。この場合、加速度検出器３１８は、コントローラ内に設けられる。
（９）エンジンが、インジェクタと該インジェクタに燃料を供給する燃料ポンプとを有する燃料噴射装置３２０により燃料が供給されるように構成されている場合、事故時エンジン停止手段２５は、事故判定装置により事故が発生したと判定されたときに燃料ポンプまたはインジェクタの少なくとも一方の駆動を停止することによりエンジンへの燃料の供給を停止してエンジンを停止させるように構成するか、または、事故判定装置により事故が発生したと判定されたときに燃料ポンプまたはインジェクタの少なくとも一方の駆動を停止することによりエンジンへの燃料の供給を停止する燃料供給停止手段と、事故判定装置により事故が発生したと判定されたときにエンジンの点火動作を停止させる点火動作停止手段とにより構成することができる。
（１０）事故時エンジン停止手段２５はまた、事故判定装置により事故が発生したと判定されたときにエンジンの点火動作を停止させる点火動作停止手段により構成することもできる。
【００７６】
また本発明に係わる船舶用事故判定装置は、船体とエンジンを駆動源とした推進装置とを備えた船舶に事故が発生したか否かを判定する装置であって、以下に示すように構成し得る。
（ａ）少なくとも船舶１の前後方向に働く加速度Ｇxを検出し得る加速度検出器３１８と、この加速度検出器の出力を読み込んで船舶の加速時または減速時に船舶の前後方向に働く加速度Ｇxの大きさが判定値を超えたときに船体が何かに衝突したと判定する事故判定手段２４とを設ける。
（ｂ）少なくとも船舶１の上下方向に働く加速度Ｇyを検出し得る加速度検出器３１８と、この加速度検出器の出力を読み込んで船舶の上下方向に働く加速度Ｇyのアークコサイン値cos−１Ｇyから船舶のロール角θrを求めて、求めたロール角θrが設定された判定値を超えたときに船舶が転覆したと判定する事故判定手段とを設ける。
（ｃ）少なくとも船舶の横方向に働く加速度Ｇzを検出し得る加速度検出器３１８と、この加速度検出器の出力を読み込んで船舶の横方向に働く加速度Ｇzのアークサイン値sin−１Ｇzから船舶のロール角θrを求めて、求めたロール角θrが設定された判定値を超えたときに船舶が転覆したと判定する事故判定手段２４とを設ける。
（ｄ）船舶の前後方向に働く加速度Ｇxと上下方向に働く加速度Ｇyとを検出し得る加速度検出器３１８と、この加速度検出器の出力を読み込んで、船舶の加速時または減速時に船舶の前後方向に働く加速度Ｇxの大きさが判定値を超えたときに船体が何かに衝突したと判定し、船舶の上下方向に働く加速度Ｇyのアークコサイン値cos−１Ｇyから船舶のロール角θrを求めて、求めたロール角θrが設定された判定値を超えたときに船舶が転覆したと判定する事故判定手段２４とを設ける。
（ｅ）船舶の前後方向に働く加速度Ｇxと横方向に働く加速度Ｇzとを検出し得る加速度検出器３１８と、船舶の加速時または減速時に船舶の前後方向に働く加速度Ｇxの大きさが判定値を超えたときに船体が何かに衝突したと判定し、船舶の横方向に働く加速度Ｇzのアークサイン値sin−１Ｇzから船舶のロール角θrを求めて、求めたロール角θrが設定された判定値を超えたときに船舶が転覆したと判定する事故判定手段とを設ける。
（ｆ）船舶の横方向に働く加速度Ｇzと上下方向に働く加速度Ｇyとを検出し得る加速度検出器３１８と、船舶の横方向に働く加速度Ｇzと上下方向に働く加速度Ｇyとの比(Ｇz／Ｇｙ)のアークタンジェント値tan−１(Ｇz／Ｇｙ)から船舶のロール角を求めて、求めたロール角が設定された判定値を超えたときに船舶が転覆したと判定する事故判定手段２４とを設ける。
（ｇ）船舶の前後方向に働く加速度Ｇxと上下方向に働く加速度Ｇyと横方向に働く加速度Ｇzとを検出し得る加速度検出器３１８と、船舶の加速時または減速時に船舶の前後方向に働く加速度Ｇxの大きさが判定値を超えたときに船体が何かに衝突したと判定し、船舶の横方向に働く加速度Ｇzと上下方向に働く加速度Ｇyとの比(Ｇz／Ｇｙ)のアークタンジェント値tan−１(Ｇz／Ｇｙ)から船舶のロール角θrを求めて、求めたロール角θrが設定された判定値を超えたときに船舶が転覆したと判定する事故判定手段とを設ける。
【図面の簡単な説明】
【００７７】
【図１】本発明を適用する船舶の一例を一部断面して概略的に示した側面図である。
【図２】本発明の実施形態のハードウェアの構成を概略的に示した構成図である。
【図３】本発明の実施形態においてマイクロプロセッサにより構成される手段を含む装置の要部の全体的な構成を示したブロック図である。
【図４】本発明の第１の実施形態において、船外機に取付けられた加速度検出器と該加速度検出器が検出する加速度とを示した要部の側面図である。
【図５】図４に示された加速度検出器により検出された加速度の変化の一例を示したグラフである。
【図６】本発明の第２の実施形態において船外機に取付けられた加速度検出器と該加速度検出器が検出する加速度とを示した要部の正面図である。
【図７】図６に示した船外機の側面図である。
【図８】図６及び図７に示された船外機を備えた船舶がロールしたときの船外機の状態を示した正面図である。
【図９】図６ないし図８に示された例において、船舶を停止状態に保持して船体のロール角のみを変化させたときに加速度検出器から得られる加速度Ｇx，Ｇy及びＧzの変化を示したグラフである。
【符号の説明】
【００７８】
１  船舶
２  船体
３  船外機
３０３  船外機本体
３１０  パワートリム装置
３１１  ＰＴＴコントローラ
３１５  ＰＴＴモータ
３１６  トリム角センサ
３１８  加速度検出器
３２０  燃料噴射装置
【図１】
2008260413.tif 000003
【図２】
2008260413.tif 000004
【図３】
2008260413.tif 000005
【図４】
2008260413.tif 000006
【図５】
2008260413.tif 000007
【図６】
2008260413.tif 000008
【図７】
2008260413.tif 000009
【図８】
2008260413.tif 000010
【図９】
2008260413.tif 000011